【手続補正書】
【提出日】平成21年6月3日(2009.6.3)
【手続補正１】
【補正対象書類名】特許請求の範囲
【補正対象項目名】全文
【補正方法】変更
【補正の内容】
【特許請求の範囲】
【請求項１】
患者が装着する鼻カニューレが連結される検出装置であって、
前記鼻カニューレは、少なくとも１つの鼻孔部を有し、前記少なくとも１つの鼻孔部は、当該少なくとも１つの鼻孔部の遠位端に形成された第一吸気／排気口を備え、
患者の睡眠中に、前記鼻孔部の少なくとも前記第一吸気／排気口を用いて、該患者の呼吸の特徴を検出する手段と、
前記検出された患者の呼吸の特徴を評価のために送信する手段と、を含むことを特徴とする、検出装置。
【請求項２】
前記鼻カニューレは、
第一および第二管部を用いて前記検出装置に連結され、
前記検出装置に向かう流路に沿って前記検出装置に向かう水蒸気を少なくともフィルタリングするフィルタを有する、ことを特徴とする、請求項１に記載の検出装置。
【請求項３】
前記鼻カニューレは、患者の口と連通するための第一マウスピースを有し、前記第一マウスピースは前記鼻カニューレの内側の共通の内室と連通している、ことを特徴とする、請求項１に記載の検出装置。
【請求項４】
前記鼻カニューレは、患者の口と連通するための、一体化された、第一および第二のマウスピース、を有し、前記第一のマウスピースは内室および第一の前記鼻孔部と連通しており、前記第二のマウスピースもまた、内室および第一の前記鼻孔部と連通している、ことを特徴とする、請求項１に記載の検出装置。
【請求項５】
請求項１に記載の検出装置であって、
前記鼻カニューレは、第二の鼻孔部を備え、前記第二の鼻孔部は、当該第二の鼻孔部の遠位端に形成された第一吸気／排気口を有し、
鼻カニューレの内室は、第一流路を備えた第一分室と、第二流路を備えた第二分室とに分けられて構成され、前記少なくとも１つの鼻孔部の第一吸気／排気口は、第一分室と連通すると共に、前記第二の鼻孔部の第一吸気／排気口は、第二分室と連通しており、
前記第一分室と前記第一流路を用い、第一の機能を実施する手段と、
前記第二分室と前記第二流路を用い、別の第二の機能を実施する手段と、をさらに含むことを特徴とする、検出装置。
【請求項６】
前記鼻カニューレは、患者の口と連通するための、分割され間隙を配して配置された、第一および第二のマウスピース、を備え、前記第一のマウスピースは内室および前記少なくとも１つの鼻孔部と連通しており、前記第二のマウスピースは内室および前記少なくとも１つの鼻孔部と連通している、ことを特徴とする、請求項５に記載の検出装置。
【請求項７】
前記鼻カニューレは、患者の口と連通するための、一体化された、第一および第二のマウスピース、を備え、前記第一のマウスピースは第一分室と前記少なくとも１つの鼻孔部とに連通しており、前記第二のマウスピースは第二分室と第二の鼻孔部と連通している、ことを特徴とする、請求項５に記載の検出装置。
【請求項８】
前記鼻カニューレは、
患者の口と連通するための、分割され間隙を配して配置された、第一および第二のマウスピースと、
該患者の鼻腔と連通するための、分割され間隙を配して配置された、第一および第二の鼻孔部と、
を備え、
前記第一のマウスピースは、第一分室と前記第一の鼻孔部とに連通し、前記第二のマウスピースは、第二分室と前記第二の鼻孔部とに連通している、ことを特徴とする、請求項５に記載の検出装置。
【請求項９】
請求項１に記載の検出装置であって、
前記鼻カニューレは、前記第一吸気／排気口から間隔をあけた前記少なくとも１つの鼻孔部における箇所に、少なくとも１つの第二吸気／排気口を有し、
患者の睡眠中に、前記少なくとも１つの鼻孔部の前記第一吸気／排気口が、少なくとも部分的に閉塞した場合、前記少なくとも１つの鼻孔部の少なくとも１つの前記第二吸気／排気口を経由して、患者の呼吸の特徴を検出する手段、をさらに含むことを特徴とする、検出装置。
【請求項１０】
請求項９に記載の検出装置であって、
前記鼻カニューレは、第二の鼻孔部を備え、前記第二の鼻孔部は、当該第二の鼻孔部の遠位端に形成された第一吸気／排気口を有し、
前記鼻カニューレの内室は、第一流路を備えた第一分室と、第二流路を備えた第二分室とに分けられて構成され、前記少なくとも１つの鼻孔部の第一吸気／排気口および第二吸気／排気口は、第一分室と連通すると共に、前記第二の鼻孔部の第一吸気／排気口は、第二分室と連通しており、
前記第一分室と前記第一流路を用い、第一の機能を実施する手段と、
前記第二分室と前記第二流路を用い、別の第二の機能を実施する手段と、をさらに含むことを特徴とする、検出装置。
【請求項１１】
前記鼻カニューレは、前記第二の鼻孔部に少なくとも１つの第二吸気／排気口を有し、前記第二の鼻孔部の前記第二吸気／排気口は、前記第二分室と連通している、ことを特徴とする、請求項１０に記載の検出装置。
【請求項１２】
請求項１０に記載の検出装置であって、
前記鼻カニューレは、
患者の口と連通するための、一体化された、第一および第二のマウスピースと、
該患者の鼻腔と連通するための、分割され間隙を配して配置された、第一および第二の鼻孔部と、
を備え、
前記第一のマウスピースは、第一分室と前記第一の鼻孔部とに連通し、前記第二のマウスピースは、第二分室と前記第二の鼻孔部とに連通している、ことを特徴とする、検出装置。
【請求項１３】
請求項１０に記載の検出装置であって、
前記鼻カニューレは、
患者の口と連通するための、分割され間隙を配して配置された、第一および第二のマウスピースと、
該患者の鼻腔と連通するための、分割され間隙を配して配置された、第一および第二
の鼻孔部と、
を備え、
前記第一のマウスピースは、前記第一分室と前記第一の鼻孔部とに連通し、前記第二のマウスピースは、前記第二分室と前記第二の鼻孔部とに連通している、ことを特徴とする、検出装置。
【請求項１４】
請求項１０に記載の検出装置であって、
ａ）該患者の鼻腔へ治療用ガスを供給すること、
ｂ）該患者から排出された放出ガスのサンプリングまたは抜き取りを実行すること、
ｃ）該患者の呼気中の終末呼気ＣＯ2をサンプリングすること、
ｄ）該患者の呼吸の特徴を監視または検出すること、
ｅ）呼吸中の該患者の呼吸気圧力波および呼吸気流、
ｆ）該患者の呼吸中における鼻腔内の圧力変化を検出すること、
のうち、少なくとも１つの機能を実施する手段を更に含むことを特徴とする、検出装置。
【請求項１５】
患者の呼吸を監視する鼻カニューレであって、前記鼻カニューレは、
患者の鼻近傍に配置するための細長い中空体と、
予め定めた長さを有する第一の鼻孔部であって、前記第一の鼻孔部における第一の遠位自由端には第一吸気／排気口が設けられ、前記第一の鼻孔部は鼻における第一の鼻通路内に受容される大きさを有しており、前記第一の鼻孔部における第二の端は内室へ接続されており、前記第一の鼻孔部は前記内室と連通する少なくとも一つの第二吸気／排気口を有している、第一の鼻孔部と、
予め定めた長さを有する第二の鼻孔部であって、前記第二の鼻孔部における第一の遠位自由端には第一吸気／排気口が設けられ、前記第二の鼻孔部は鼻における第二の鼻通路内に受容される大きさを有しており、前記第二の鼻孔部における第二の端は内室へ接続されており、該第二の鼻孔部は前記内室と連通する少なくとも一つの第二吸気／排気口を有している、第二の鼻孔部と、
を備え、
前記鼻カニューレは、該患者の睡眠中に、患者の呼吸の特徴を監視するための検出装置へ連結され、
該患者の睡眠中に、少なくとも前記第一および第二の鼻孔部のうちの一方における少なくとも前記第一吸気／排気口を用いて、患者の呼吸の特徴を検出し、
前記第一および第二の鼻孔部のうちの一方における前記第一吸気／排気口が、少なくとも部分的に閉塞した場合に、前記第一および第二の鼻孔部のうちの少なくとも一方における少なくとも１つの前記第二吸気／排気口を用いて、前記患者の呼吸の特徴を検出する、ことを特徴とする、鼻カニューレ。
【請求項１６】
請求項１５に記載の患者の呼吸を監視する鼻カニューレであって、前記鼻カニューレは、第一および第二管部を用いて前記検出装置へ連結され、フィルタが、前記第一および第二管部に沿って水蒸気が前記検出装置の方向へ流入することを防ぐことを特徴とする、鼻カニューレ。
【請求項１７】
請求項１５に記載の患者の呼吸を監視する鼻カニューレであって、該患者の口と連通させるためのマウスピースが前記鼻カニューレに接続されており、前記マウスピースは前記鼻カニューレにおける共通の内室に連通していることを特徴とする、鼻カニューレ。
【請求項１８】
請求項１５に記載の患者の呼吸を監視する鼻カニューレであって、患者の口と連通させるための第一および第二のマウスピースの両方が、前記内室と、前記第一および第二の鼻孔部と、に連通していることを特徴とする、鼻カニューレ。
【請求項１９】
請求項１５に記載の患者の呼吸を監視する鼻カニューレであって、
前記鼻カニューレの前記内室は、第一流路を備えた第一分室と、第二流路を備えた第二分室とに分けられており、
前記第一の鼻孔部の第一吸気／排気口および第二吸気／排気口は、第一分室に連通すると共に、前記第二の鼻孔部の第一吸気／排気口および第二吸気／排気口は、第二分室に連通しており、
第一の機能が前記第一分室と前記第一流路とを用いて実行可能であり、
別の第二の機能が前記第二分室と前記第二流路とを用いて実行可能であることを特徴とする、鼻カニューレ。
【請求項２０】
請求項１５に記載の患者の呼吸を監視する鼻カニューレであって、
前記鼻カニューレは、該患者の口と連通させるための、分割され間隙を配して配置された、第一および第二のマウスピースを有し、
前記第一のマウスピースは、前記第一の鼻孔部の前記第一吸気／排気口および第二吸気／排気口と、前記第一分室とに連通し、前記第二のマウスピースは、前記第二の鼻孔部の前記第一吸気／排気口および第二吸気／排気口と、前記第二分室とに連通していることを特徴とする、鼻カニューレ。
【請求項２１】
請求項１５に記載の患者の呼吸を監視する鼻カニューレであって、
前記鼻カニューレは、該患者の口と連通させるための、一体化された、第一および第二のマウスピースを有し、
前記第一のマウスピースは、前記第一の鼻孔部の前記第一吸気／排気口および第二吸気／排気口と、前記第一分室とに連通し、前記第二のマウスピースは、前記第二の鼻孔部の前記第一吸気／排気口および第二吸気／排気口と、前記第二分室とに連通していることを特徴とする、鼻カニューレ。
【請求項２２】
請求項１５に記載の患者の呼吸を監視する鼻カニューレであって、前記第一の機能および第二の機能のそれぞれが、
ａ）該患者の鼻腔へ治療用ガスを供給すること、
ｂ）該患者から排出された放出ガスのサンプリングまたは抜き取りをすること、
ｃ）該患者の呼気中の終末呼気ＣＯ2をサンプリングすること、
ｄ）該患者の呼吸の特徴を監視または検出すること
ｅ）呼吸中の該患者の、呼吸気圧力波および呼吸気流を監視または検出すること
ｆ）該患者の呼吸中における鼻腔内の圧力変化を検出すること、
のうちの１つを有することを特徴とする、鼻カニューレ。
【請求項２３】
請求項１６に記載の患者の呼吸を監視するための鼻カニューレであって、前記検出装置は、睡眠診断期間中に取得された、呼吸気圧力波および呼吸気流の計測値情報を入力するための、睡眠ポリグラフ計に電気的に接続されていることを特徴とする、鼻カニューレ。
【手続補正２】
【補正対象書類名】明細書
【補正対象項目名】発明の名称
【補正方法】変更
【補正の内容】
【発明の名称】呼吸の情報を取得するための鼻カニューレ、及び検出装置
【手続補正３】
【補正対象書類名】明細書
【補正対象項目名】００１１
【補正方法】変更
【補正の内容】
【００１１】
また、本発明は、患者が装着する鼻カニューレが連結される検出装置に関する。該検出装置は、少なくとも１つの鼻孔部を有し、該少なくとも１つの鼻孔部は当該少なくとも１つの鼻孔部の遠位端に形成された第一吸気／排気口を備え、患者の睡眠中に、該鼻孔部の少なくとも第一吸気／排気口を用いて患者の呼吸の特徴を検出する手段と、該検出された患者の呼吸の特徴を評価のために送信する手段と、を含む検出装置である。